(57)【要約】少なくとも１台の移動通信ユニットのための、コードを基盤とする情報システムであって、個々のデータが、前記少なくとも１台の移動通信ユニット上で実行される特定のアプリケーションを用いてコードと関連付けられ、前記個々のデータとの前記コードの前記関連付けが、中央サーバとして機能するデータベースに送信され、かつそこに入れられ、前記コードが前記少なくとも１台の移動通信ユニット上で実行される前記アプリケーションを用いて前記少なくとも１台の移動通信ユニットを介して認識され、それによって前記個々のデータとの前記コードの前記関連付けが前記データベースから呼び出され、前記データが前記移動通信ユニット上に表示される、コードを基盤とする情報システム。【代表図】なし
2016502191.tif 000002
【特許請求の範囲】
【請求項１】
少なくとも１台の移動通信ユニットのための、コードを基盤とする情報システムであって、個々のデータが、前記少なくとも１台の移動通信ユニット上で実行される特定のアプリケーションを用いてコードと関連付けられ、前記個々のデータとの前記コードの前記関連付けが、中央サーバとして機能するデータベースに送信され、かつそこに入れられ、前記コードが前記少なくとも１台の移動通信ユニット上で実行される前記アプリケーションを用いて前記少なくとも１台の移動通信ユニットを介して認識され、それによって前記個々のデータとの前記コードの前記関連付けが前記データベースから呼び出され、前記データが前記移動通信ユニット上に表示される、コードを基盤とする情報システム。
【請求項２】
前記アプリケーションが実行される第１の移動通信ユニットが、前記個々のデータの送信者と関連付けられ、前記アプリケーションを用いて前記送信者が前記コードを読み込むことができてかつ前記コードと前記個々のデータを関連付けることができ、前記アプリケーションが実行される第２の移動通信ユニットが、前記送信者によって選ばれる前記個々のデータの少なくとも１人の受信者と関連付けられ、前記受信者は前記アプリケーションを用いて前記コードを読み込み、それによって前記データが前記第２の移動通信ユニット上に表示されることができる請求項１に記載のコードを基盤とする情報システム。
【請求項３】
パスワードが入力された後、前記コードが前記アプリケーションを用いて認識される請求項１または２に記載のコードを基盤とする情報システム。
【請求項４】
前記パスワードが、前記個々のデータの送信者によって付与され、受信者および前記少なくとも１台の移動通信ユニットのユーザに送信される請求項３に記載のコードを基盤とする情報システム。
【請求項５】
前記少なくとも１人の受信者が、前記少なくとも１台の移動通信ユニットを介してその上で実行される前記アプリケーションを用いて、前記パスワードを入力した後に前記コードを読み込むことができ、それによって前記個々のデータが前記移動通信ユニット上に表示されることができる請求項４に記載のコードを基盤とする情報システム。
【請求項６】
前記少なくとも１台の移動通信ユニットが、携帯電話である請求項１〜５のいずれか１項に記載のコードを基盤とする情報システム。
【請求項７】
前記コードと前記データを関連付けるとき、１対１の関係で前記携帯電話と関連付けられる携帯電話番号が前記個々のデータの前記送信者によって示され、それによって前記コードが前記少なくとも１台の移動通信ユニット上で実行される前記アプリケーションを用いて自動的に認識される請求項６に記載のコードを基盤とする情報システム。
【請求項８】
前記コードと画像および／またはビデオデータを関連付けるとき、前記少なくとも１台の移動通信ユニットの現在の位置のデータが、前記個々のデータの前記送信者によって示され、それから前記個々のデータの前記受信者および前記少なくとも１台の移動通信ユニットの前記ユーザによって検出され、それによって前記コードが前記少なくとも１台の移動通信ユニット上で実行される前記アプリケーションを用いて自動的に認識される請求項１または２に記載のコードを基盤とする情報システム。
【請求項９】
郵便配達の料金別納証印が、前記情報システムのコードとして同時に機能する請求項１または２に記載のコードを基盤とする情報システム。
【請求項１０】
少なくとも１台の移動通信ユニット上の個々のデータの、コードを基盤とする提供方法であって、前記少なくとも１台の移動通信ユニット上で実行されるアプリケーションを用いて個々のデータがコードと関連付けられ、前記個々のデータとの前記コードの前記関連付けが、中央サーバとして機能するデータベースに送信されてかつそこに格納され、前記アプリケーションが、前記少なくとも１台の移動通信ユニット上で実行され、および前記少なくとも１台の移動通信ユニットを介して前記コードが、前記少なくとも１台の移動通信ユニット上で実行される前記アプリケーションを用いて認識され、それによって前記個々のデータとの前記コードの前記関連付けが前記データベースから呼び出され、前記データが前記移動通信ユニット上に表示される、前記方法。
【請求項１１】
請求項１〜９のいずれか１項に記載のコードを基盤とする情報システムを用いて実行される請求項１０に記載の方法。
【発明の詳細な説明】
【技術分野】
【０００１】
本発明は、少なくとも１台の移動通信ユニットのための、コードを基盤とする情報システムに関する。更に、本発明は、少なくとも１台の移動通信ユニットに、個々のデータ、例えば画像および／またはビデオデータを提供する方法に関する。
【背景技術】
【０００２】
アプリケーション、また略してアプリは、スマートフォン、タブレットコンピュータおよび他の移動通信ユニットのためのアプリケーションプログラムであり、対応するオペレーティングシステムに統合されたオンラインショップ経由で迅速かつ容易に購入することができ、それぞれの携帯機器または移動通信ユニット上に直接インストールして、それによって実行することができる。
【０００３】
移動通信ユニット、例えばカメラを備える携帯電話は、特定のアプリケーションを用いてアップグレードさせて、コードスキャナになることができる。それによって、バーコードおよび行列コードを容易に読み取ることができる。
【０００４】
通常、異なる幅、平行棒およびギャップからなる光電子的に読み込み可能なフォントが、バーコードと呼ばれる。
【０００５】
今日では、市販のほぼ全ての製品が、この種のバーコード、ＥＡＮ（欧州統一商品番号）、ＵＰＣ（統一商品コード）、ＩＡＮまたはＪＡＮのような製品関連の商業的なバーコードを備えている。
【０００６】
次に、個々の情報、例えば画像および／またはビデオ情報を、この種のバーコードまたは行列コードに連結する、すなわち、それを前記コードとコード化して、その結果、個々の情報をデコードすることができ、それによって、このバーコードまたは行列コードを読み取るユーザであって、かつ、さらにそうする許可を与えられているユーザに対して個々の情報が表示されるようにすることが望ましい。
個々の情報、例えば個々の画像および／またはビデオ情報をバーコードまたは行列コードに連結するために、この印刷物の意図された受取人だけがこのコードによってコード化された情報にアクセスすることが確実にできるようにするために、個々のコードが、コードを付加する必要がある個々の印刷物、例えば葉書に付加されなければならない。
しかしながら、個々の印刷物にこの種の個々のコードを付加することは、非常に複雑で、したがってコストが非常にかかる。
【発明の概要】
【発明が解決しようとする課題】
【０００７】
ここで、とりわけ１人以上の選ばれた受信者のために、同一のコードを備えた印刷物や製品を用いて、個々の情報、例えば画像および／またはビデオ情報にアクセス可能にすること、すなわち印刷物上に設けられたコードと、情報、例えば画像および／またはビデオ情報を個々に関連付けることを可能にすることが、本発明の課題である。
【０００８】
例えば、製品のコマーシャルコードは一貫して同じコードであるので、特別なユーザに対してだけ意図される情報を、対応するユーザと１対１の関係で関連付ける方法を提供することが望ましい。
【課題を解決するための手段】
【０００９】
この課題を解決するために、請求項１の特徴を備える、コードを基盤とする情報システム、同じく請求項１０の特徴を備える、対応する方法が提供される。特定のおよび有利な実施態様は、対応する従属請求項から得られる。
【００１０】
本発明によれば、少なくとも１台の移動通信ユニットのための、コードを基盤とする情報システムが提供される。この場合、個々の情報またはデータ、例えば画像および／またはビデオデータが、少なくとも１台の移動通信ユニット上で実行される特定のアプリケーションを介してコードと関連付けられる。個々のデータとコードとの間のこの関連付けまたはリンクが、例えば中央サーバとして機能するデータベースまでインターネット経由で送信され、そこに格納される。コードは、特定のアプリケーションを用いて、少なくとも１台の移動通信ユニットによって認識され、それによって個々のデータに対するコードの関連付けがデータベースから呼び出され、個々のデータ、例えば個々の画像および／またはビデオデータが移動通信ユニット上に再生されるかまたは表示される。
【００１１】
本発明で使用されるアプリケーションには、特定のプラットホームまたは特定のオペレーティングシステムに適する個々のネイティブアプリケーションの点において各種の実施態様がある。ネイティブアプリケーションは一般に、いくつかのハードウェアおよび個々の移動通信ユニットがもつ機能、例えばカメラ、スピーカなどへの直接アクセスを可能にする。
【００１２】
本発明で使用されるネイティブアプリケーションは、例えば第１の移動通信ユニットにロードされて起動される。それによって、移動通信ユニット内に設けられたカメラ機能により機械可読のコードを読み込み、更に移動通信ユニットの内部データメモリ（例えばビデオ、写真、音響）にアクセスし、そこから選ばれるデータと前に検出したコードをリンクさせることが可能である。このリンクは、中央サーバとして機能するデータベースにインターネット経由で送信されてかつ格納される。このアプリケーションが実行される個々の移動通信ユニット上で、このアプリケーションを介してコードが検出された時点から、格納された情報が自動的に再生される。
【００１３】
本発明で使用されるアプリケーションプログラムおよび／または特定のアプリケーションによって、対応する移動通信ユニット内に一体化されたカメラ、通常デジタルカメラを用いて、二次元コード、いわゆるデータ行列およびバーコードを検出し、それによって移動通信ユニットのそれぞれのオペレータまたはユーザに対して、復号化形式で、すなわちプレーンテキストで、対応するコードと関連付けられる情報またはその中に格納される情報を表示することが可能になる。コードの背後に隠される情報は、テキスト情報、画像情報、コードを基盤とする情報、クーポン情報またはさらにビデオ情報とすることができる。この場合、クーポン情報は、コードに格納されるデータがさらにボーナスおよびクーポンシステムでも使用できることを意味する。例えば、受信者が特定の送信者の複数の郵便配達から定期的にコードを読み込み、かつそれによってそれと関連がある広告ビデオを視聴する場合、受信者は、送信者のボーナスポイントを授与されることができる。このような場合、クーポンコードはクーポンとして受信者にアクセス可能にされ、クーポンが提示されるとき、それにより受信者は送信者からリベートを得ることができる。
このクーポンコードは、個々のデータとしてコードと関連付けられ、この関連付けでデータベース内に格納され、その結果、このコードを検出するとき、受信者は、このクーポンコードにアクセスすることができるアプリケーション、および／または、受信者の移動通信ユニット上で実行されるアプリケーションを用いてこのコードを表示させることができる。アプリ、一曲の音楽またはゲームのようなデジタル製品を、さらにボーナスまたはリベートとしてコードとリンクさせることもできる。
【００１４】
本開示の範囲内で「コードを検出する」とは、「コードを認識して、読み込み、処理し、かつ情報とリンクさせるか、または中央サーバ上に格納されるコードと情報との間のリンクを呼び出す」ことを意味する。
【００１５】
通常、個々のデータ、例えば画像および／またはビデオデータを、送信者によって選ばれた受信者に送信したいか、またはそれらを受信者にアクセス可能にしたい送信者が、第１の移動通信ユニットを所有し、選ばれた受信者が第２の移動通信ユニットを所有する。特定のアプリケーションが、第１のおよび第２の移動通信ユニットの両方で実行される必要がある。第１に、送信者は第１の移動通信ユニットを介してアプリケーションを用いてコードを読み込み、そして、次にこのコードと、個々のデータ、例えば画像および／またはビデオデータを関連付ける。個々のデータとコードのこの関連付けは、中央サーバとして機能するデータベースに送信されてかつ引き出すことができるようにそこに格納される。所望の受信者は、ここで、第２の移動通信ユニットを介してアプリケーションを用いてコードを認識し、それによって個々のデータ、例えば画像および／またはビデオデータを、第２の移動通信ユニット上で提示させる。このように、コードが検出されるときは、最初に中央サーバとして機能するデータベースに自動的にアクセスされ、そこから、コードと個々のデータとの間のリンクが呼び出され、それによって個々のデータが表示される。
【００１６】
しかしながら、さらに、別のコンピュータ、例えばＰＤＡ上で実行されるアプリケーションを介して、送信者は、コンピュータ上に格納されるデータ、例えば画像および／またはビデオデータと読み込まれるコードを関連付け、次いで受信者は、受信者と関連付けられた移動通信ユニット上で実行されるアプリケーションを用いて該コードを検出し、それによってデータ、例えば画像および／またはビデオデータを視聴するようにすることもできる。
【００１７】
一般的に言って、送信者によって特定される複数の受信者がデータにアクセスできるようにする。
【００１８】
例えば、送信者の移動通信ユニット上で実行されるか、またはインストールされる、本発明で規定される特定のアプリケーションを用いて、個々の移動通信ユニット内に設けられたカメラにより取り込まれる個々の画像および／またはビデオ情報を、読み込まれたバーコードおよび／または行列コードを用いて格納することができ、それによって中央サーバとして機能する上述したデータベース内に、および可能であれば移動通信ユニット上に格納することができる。
【００１９】
相互作用コードアプリまたは略してＩＡＣアプリとも呼ばれる、本発明で使用される特定のアプリケーションを用いて、光学的に読み込み可能な媒体上に提示される任意のバーコードまたはＱＲコード（登録商標）（クイックレスポンスコード）は、画像、ビデオなどの特定情報と関連付けられる。これらは次いで、例えばインターネット経由で到達できるサーバ内に格納され、任意の移動通信ユニットまたは移動端末から、一体化されたスキャナを通じて、ＩＡＣアプリを介して呼び出すことができる。その結果、送信者は一方では公的にアクセス可能な内容をシステム内に格納することができる。ＩＡＣアプリの全てのユーザは、その後、該ユーザの個々の移動端末内に、または該ユーザの個々の関連付けられた移動通信ユニット内に一体化されたスキャナを用いて、該システムを呼び出すことができる。
他方、本発明によれば、送信者はＩＡＣアプリを介して各コードに対して個々の非公開情報を格納することができる。この情報は、例えば携帯電話番号によってまたは他の識別システム、例えばソーシャルネットワークまたは電子メールアドレスによって規定される一組の受信者に対して、ユーザにより前もってアクセス可能にすることができる。そのほか、コードとリンクされる情報を再生するために受信者が入力するアクセスコードまたはパスワードによって、内容をさらに保護することができる。
【００２０】
次に、個々のデータが表示される前に、受信者は自己の個々の固有の携帯電話番号、自己の端末ＩＤ番号または他のシステム、例えば電子メールまたはソーシャルネットワークによって前もって識別され、このようにして、固有のユーザまたは受信者識別が行われる。識別情報の検出は、例えばＩＡＣアプリ内の入力マスクによってまたは受信者の移動通信ユニットからの自動読み出しによって実行しうる。携帯電話番号は、送信者の対応するアドレス帳から手動で選択することによって送信者が前もって決めることができる。
【００２１】
送信者によって選ばれる認証モダリティに応じて、他のユーザは、前もって送信されたアクセスコードまたはパスワードを入力するか、または、例えば自己の携帯電話番号によって、規定された受信者として自分自身を特定すれば、格納した情報を読み取ることができる。この特定は、上述した方法によって実行される。複数の情報項目が同じバーコードまたはＱＲコード（登録商標）に対して格納される場合、本発明に係るコードを基盤とする情報システムは、公的にアクセス可能な内容と送信者によって保護される内容とを区別することができる。
【００２２】
送信者は、アプリケーションを介して、自己と関連付けられた移動通信ユニットに保存されるかまたは格納される画像および／またはビデオ情報を、読込コードに接続させると、この画像および／またはビデオ情報は中央サーバとして機能するデータベース内に、このコードと関連して格納される。
受信者は、自己と関連付けられた移動通信ユニットで実行される特定のアプリケーションを用いてコードをスキャンし、それによって、このコードと関連付けられた画像および／またはビデオ情報を、中央サーバとして機能するデータベースから呼び出し、受信者と関連付けられた移動通信ユニット上に再生させる。
【００２３】
本発明に係るシステムは、バーコード、さらにパッケージ上のＥＡＮコード、行列コードおよび郵便物、例えば葉書の郵便料金別納証印を使用することができる。
【００２４】
本発明に係るコードを基盤とする情報システムの一実施態様によれば、パスワードが付与された後、アプリケーションは、コードによってコード化された個々のデータへのアクセスができるようになる。このアクセスにおいて、パスワードは、データ、例えば画像および／またはビデオデータの送信者によって付与され、移動通信ユニットのユーザに通信されるようにすることができる。このパスワードは、例えば、架空の単語として、または送信者がコードから分けて書き留めた文字列として、コードを備えた葉書により送ることができる。これは、個々の印刷物、例えば葉書上に、例えばすでに商業的に利用可能である葉書に付けられたコード、および送信者によって個々に印刷されるかまたは付加される文字列の両方が設けられることを意味する。
このアプローチは、市販の印刷物、例えば葉書の全てが、アプリケーションを介して送信者によって識別される同一のコードを備えることができ、送信者は、送られたパスワードが入力されるときだけ、選ばれた受信者が適切な移動通信ユニットを用いてアクセス可能となる情報、すなわち個々のデータ、例えば画像および／またはビデオデータを格納できる、という点で有利である。送信者は、葉書に格納されるコードを読み込み、自己が選んだ他のデータ、例えば画像および／またはビデオデータをコードに格納し、パスワードによってそれらを保護するために、自己の移動通信ユニット上で事前に実行されるアプリケーションを使用する。受信者は、自己の移動通信ユニット上で事前に実行された同一のアプリケーションを介して印刷物上に設けられたコードを読み取ることができ、そこで受信者は次いでパスワードを入力するよう求められ、パスワードが入力されるまで、個々のデータ、例えば画像および／またはビデオデータは受信者の移動通信ユニット上に呼び出されないかまたは表示されない。その結果、個々のデータ、例えば画像および／またはビデオデータに対する許可されたアクセスだけが可能であり、誰でもがこれらの個々のデータ、例えば画像および／またはビデオデータを呼び出すことができるわけではない。このアプローチは、印刷物を商業的に購入したときに、印刷物の各品目を個々に識別する必要性を回避する。その代わり、送信者によって選ばれた特別な受信者だけがアクセス可能である更なるデータ、例えば画像および／またはビデオデータが格納されるという意味において、アプリケーションを介して送信者によって個々に識別されるコードが設けられれば、それで十分である。
【００２５】
パスワードを介して、個々のデータ、例えば画像および／またはビデオデータへのアクセスを許可することに加えて、選ばれた受信者の移動通信ユニットの現在の位置データが検出され、それによって移動通信ユニットのアプリケーションを通じて自動的にコードが認識されるようにしてもよい。
【００２６】
更に、コードを基盤とする情報システムの別の実施態様によれば、移動通信ユニットを携帯電話とすることができる。この場合、個々のデータ、例えば画像および／またはビデオデータの送信者が、データ、例えば画像および／またはビデオデータへのアクセスを許可するために、携帯電話と１対１の関係で関連付けられる携帯電話番号を使用することがさらに可能であり、それは送信者によって求められる携帯電話番号を有する携帯電話のユーザが、携帯電話上で実行されるアプリケーションを介してコードを読み込むとき、特に選ばれた携帯電話番号により、コードの背後に「隠された」個々のデータ、例えば画像および／またはビデオデータに自動的にアクセスすることができることを意味し、この情報がユーザの携帯電話上に自動的に表示されることを意味する。
【００２７】
本発明に係る情報システムの別の実施態様によれば、更にまた、郵便物上の郵便局発行の１対１の郵便料金別納証印は、情報システムのコードとしても機能することが可能である。なぜなら、これも、送信者によって選ばれた許可された受信者との１対１の関連付けを作り出すからである。しかしながら、これが生じるためには、受信者が、次に自己の移動通信ユニット上で実行されるアプリケーションを介して、データへの自動アクセスを行う個々のデータ、例えば画像および／またはビデオデータが、送信者がそれぞれの郵便物上にそれぞれの郵便料金別納証印を付加するまで、格納されないことが必要である。葉書、さらに手紙および小包のような他の郵便物を、送るものとして用いることができる。さらに本発明の範囲内であるが、郵便料金別納証印を郵便料金計器を用いて印刷するとき、実際の郵便料金別納証印の代わりに、同じ印刷作業でそれぞれの郵便物上に隣接システムコードを付加し、次いでそのコードが送信者によって個々のデータを格納するのに用いられるようにすることが可能である。
【００２８】
更に、本発明は、個々のデータ、例えば画像および／またはビデオデータを格納し、送信するための方法に関し、個々のデータ、例えば画像および／またはビデオデータは、少なくとも１台の移動通信ユニット上で実行されるアプリケーションを介してコードと関連付けられ、個々のデータとのコードの関連付けが、中央サーバとして機能するデータベースに自動的に送信されて、かつそこに格納され、コードがアプリケーションを介して移動通信ユニットによって認識され、それによってデータとのコードの関連付けが、データベースから自動的に呼び出され、データ、例えば画像および／またはビデオデータが移動通信ユニット上に自動的に表示されるかまたは再生される。
【００２９】
前述したように、送信者発行のパスワードが受信者によって正確に入力される場合だけ、格納された個々のデータ、例えば画像および／またはビデオデータへアクセスできるようにすることが可能である。送信者発行のパスワードが受信者によって正確に入力されると、個々に格納されたデータ、例えば画像および／またはビデオデータがリリースされ、それによって受信者に表示される。
送信者がパスワードを発行する場合、アプリケーションによってパスワードを自己のために作成するか、または送信者自身が、自己が選んだパスワードを入力する。パスワードは、例えば、所望の受信者に送られる印刷物に、または所望の受信者に配送される製品上に送信者によって付加させることができる。所望の受信者は自己の移動通信ユニットを用いてコードを検出し、次いで送信者が送信したパスワードをアプリケーションによって要求されるときに入力する。そのとき初めて、コード化情報がリリースされて、移動通信ユニット、例えば対応するディスプレイ上に受信者に対して表示される。ビデオデータの場合、ビデオが表示され、それに対応するサウンドが移動通信ユニット内に設けたスピーカを通じて音響的に認知できるようにしてもよい。前述したように、移動通信ユニットが携帯電話である場合、携帯電話と１対１の関係で関連付けられる携帯電話番号により、所望の受信者との関連付けを行うことができる。この場合、送信者は、受信者の携帯電話番号、または受信者と関連付けられる携帯電話の携帯電話番号をアプリケーションで示し、受信者は、データを使用するために、自己の携帯電話番号を用いて、自分自身を識別する。携帯電話番号は、携帯電話内に格納された携帯電話番号の中から、送信者が直接選ぶことができる。
【００３０】
さらに、上記したように、受信者の場所データまたは現在の位置データもまた、関連付けのために機能することができる。この場合、送信者は、受信者のあて先アドレスを入力することができる。移動通信ユニット内のアプリケーションは、所望する受信者の移動通信ユニットのＧＰＳ位置へのアクセスを許可する。
【００３１】
郵便物にとって、個々の郵便料金別納証印は、送信者の特定の個々の画像および／またはビデオ情報を格納するために機能する。受信者は、自己の移動通信ユニット上のアプリケーションにより郵便料金別納証印を読み込み、それによって、そこに格納される個々の画像および／またはビデオ情報を直接呼び出して、移動通信ユニット上に適切な方法で再生させることができる。個々の郵便料金別納証印は固有性を有することにより、デジタル印刷技術のおかげで、個々のデータ、例えば画像および／またはビデオ情報を各郵便料金別納証印と関連付けることができる。郵便料金別納証印は、データ行列コード（２次元のバーコード）またはバーコード内に暗号化される全ての関連するデータと共に、各郵便物上にデジタル印刷技術を用いて付加されるか、または糊の付いた郵便料金別納証細片により付着される。この郵便料金別納証印は、支払の確保、またルート制御および機密保護のために、多くの国際郵便サービス提供者、例えばドイツ郵便会社によって読み取られる。各証印は、個々の機密保護情報の観点から固有である。これにより、それぞれの受信者と１対１の関係で上述した関連付けをすることが可能となる。本発明の更なる利点および実施態様を明細書と添付図面に記す。
【００３２】
上述の特徴と後述する特徴は、所定の組合せだけでなく、他の組合せでも使用可能であり、それらは本発明の範囲から逸脱することなく、使用可能である。
【００３３】
例示的な実施態様に基づいて、本発明は、図面内に略図で例示され、かつ図面を参照して以下に詳述される。
【図面の簡単な説明】
【００３４】
【図１】本発明に係る方法の第１の実施態様の部分的態様の概略図を示す。
【図２】本発明に係る方法の更なる実施態様の部分的態様の概略図を示す。
【図３】本発明に係る方法の別の実施態様を実行するのに用いられる印刷物を示す。
【図４】本発明に係る方法の別の実施態様を実行するのに用いられる印刷物の更なる例を示す。
【図５】本発明に係る方法の更なる実施態様における個々のデータとコードを関連付ける手順を示す。
【図６】送信者によって本発明に係る方法の別の実施態様を実行するための個々のデータ、例えば画像および／またはビデオデータを格納するための手順の概略を示す。
【発明を実施するための形態】
【００３５】
図１は、カメラを備えた移動通信ユニット２を持ったユーザ１を示しており、該カメラは、ここではさらに詳細には示していない。例えば、移動通信ユニット２内に一体化することができるか、またはそれに対して少なくとも通信で接続されるカメラを用いて、画像を取り込むことに加えて、コードを取り込むことができる。そのコード４は、この場合、例えば、葉書のような印刷物３の項目上に設けられる。カメラを用いて、ここで破線によって示されるように、葉書３上に設けられるコード４を取り込むことが可能である。このコード４は、移動通信ユニット２のディスプレイ５上に現れ、次いで認識される。
【００３６】
図２は、移動通信ユニット１２を持ったユーザ１１を再び示す。図１の移動通信ユニット２のように、移動通信ユニット１２はカメラを備えており、このカメラは、ここではより詳細に示していないが、移動通信ユニット１２内に一体化されるか、または少なくとも通信で移動通信ユニット１２に接続される。カメラを用いて、画像だけでなく、例えば印刷物の項目上に提供された他の情報を取り込み、読み込んで、通信ユニット１２のディスプレイ１５上に表示することが可能である。図２においては、図１とは対照的に、葉書１３上に付与された郵便料金別納証印１４が、ここではより詳細に示していないカメラを用いて、破線によって示すように取り込まれる。この郵便料金別納証印１４は、次いで移動通信ユニット１２のディスプレイ１５上に現れる。移動通信ユニット１２は、例えば携帯電話とすることができる。
【００３７】
次に、オペレータ１または１１が、自己の移動通信ユニット２または１２上で実行される、本発明において提供される特定のアプリケーションの一実施態様を所有する場合には、オペレータ１または１１は、このアプリケーションを用いて、自己が選び、そして移動体通信ユニット２または１２の記憶装置内に格納したデータ、例えば画像および／またはビデオデータを、読込のためのコード４または読込のための郵便料金別納証印１４に結合させ、それによって、コード４または１４を用いてコード化されるこれらのデータ、例えば画像および／またはビデオデータを格納することができる。個々のデータのコード４または郵便料金別納証印１４との上記関連付け、またはリンクは、それが呼び出されることができるように、中央サーバとして機能するデータベース上に主として格納される。更に、アプリケーションを用いて、格納されたデータ、例えば画像および／またはビデオデータにアクセスすべき人を選ぶことが可能であり、かつ、これらの人がデータにアクセスするためには、適切な方法で自分自身を認証する必要があるようにすることができる。このために、この種の認証を実行するには種々の可能性があり、それらは以下に述べる図面により更に詳細に記述される。
【００３８】
一般に、１対１の関係で受信者と関連付けることができる郵便料金別納証印１４が受信者の認証として有効であると考えられる。郵便料金別納証印１４は、１対１の関係で受信者と関連付けることができる。その結果、例えば、葉書上の郵便料金別納証印による認証の後、受信者は、葉書上に設けられる別のコード、例えばコード４と共に格納される情報、またはこのコードに連結される情報をデータベースから引き出すことが可能である。
更に、任意のキャリア媒体、例えばポスターまたはデジタルスクリーンを、情報の個々の項目または個々のデータが送信者によって関連付けられるコードのキャリア媒体として選ぶことができる。受信者は、コードと関連付けられる個々のデータを呼び出す前において、コードに接続された個々のデータを呼び出すためには、送信者によって選ばれる認証を実行することだけが重要である。
【００３９】
図３は、印刷物、ここでは葉書２３を示す。葉書２３には、通常、情報を印刷するか、または手で書き込むために機能するフィールド３１内に、いくつかの予め印刷されたオプションが設けられ、それにより、葉書２３の受信者は、葉書２３を用いて、受信者のために格納されるデータ、例えば画像および／またはビデオデータを呼び出してかつ認識することが可能となる。このために、情報フィールド３１内において、第１の上部セクションで、送信者は、自己の名前で線３２上に自分自身であることを明らかにする。中央領域３３内において、受信者が、自己の移動通信ユニットを用いて、データ、例えば画像および／またはビデオデータを読み取るために必要とされる本発明に係るアプリケーションの一実施態様をどのようにダウンロードするかが項目１「Download app」の下に説明される。受信者の移動通信ユニット上で実行されるオペレーティングシステムに応じて、受信者は、移動通信ユニットの図的表現３５に示すように、受信者の移動通信ユニット内に一体化されるカメラを用いて、対応するアプリ３４＿１または３４＿２をダウンロードしなければならない。ここで例として与えられる２個のアプリの実施態様の他に、複数の更なるオペレーティングシステムについて同様に考えることができる。次に、所望のアプリケーションがダウンロードされて、受信者の通信ユニット上で実行される。そのときに初めて受信者は、移動通信ユニット内に一体化されるカメラを用いて、項目２「scan code and input password」の下の領域３６に示すように、コード３７を読み込むことができる。コード３７が読み込まれたあと、移動通信ユニット上で実行されるアプリケーションは、コード３７と関連付けられるデータ、例えば送信者がそこに格納した画像および／またはビデオデータを読み出すことを受信者に許可するパスワードを受信者に入力することを求める。パスワードは、タイトル「The password reads：」の下に線３８上に送信者によって示され、受信者はこのパスワードを読みとった後に、自己の移動通信ユニット内にそれを入力をすればよい。そして、読み込まれたコード３７は、次いで、それに接続された個々のデータ、例えば画像および／またはビデオデータが、移動通信ユニットのディスプレイ上に自動的に表示されるか、または再生される程度にまでデコードされる。
【００４０】
パスワードを格納することによって、送信者によってコードと関連付けられるデータ、例えば画像および／またはビデオデータへの個々のアクセスを可能にするコードを設ける代わりに、葉書２３上に設けられる郵便料金別納証印３９によって、送信者が自己によって選ばれるデータ、例えば画像および／またはビデオデータをコード化することもまた考えられる。
個々の葉書には、それが受信者に送られる場合、固有の郵便料金別納証印が付与されているので、ここで再度述べるが、データ、例えば画像および／またはビデオデータへのアクセスの１対１の関連付けが、対応する受信者に対して可能である。受信者は次に郵便料金別納証印を単に読み取ればよく、ここで再度述べるように、当然のことながら、本発明の目的のために要求されるアプリケーションの一実施態様を受信者の移動通信ユニット上で実行する必要がある。しかしながら、受信者の移動通信ユニットのディスプレイ上に提示されるか、または再生されるべき郵便料金別納証印に接続されるデータ、例えば画像および／またはビデオデータに対して、パスワードを入力することさえせずに、単に郵便料金別納証印を読み込むことで十分である。
【００４１】
図４は、葉書４３を示す。葉書４３は、送信者が望むデータ、例えば画像および／またはビデオデータを、郵便料金別納証印と連結させることを可能にする。その結果、受信者は、郵便料金別納証印４９を読み込むことによって自動的に認証され、データ、例えば画像および／またはビデオデータを視聴することができる。これは受信者の通信ユニットのディスプレイ上で該データが自動的に受信者に対して表示されることを意味する。しかしながら、このためには、受信者は、自己の移動通信ユニットまたは移動通信ユニット内に一体化されたカメラを使用して、オペレーティングシステムに応じて、本発明において必要とされるアプリケーションの一実施態様、アプリケーション４４＿１または４４＿２のどちらかを取り込み、このアプリケーションをダウンロードして、そして次に移動通信ユニット内で実行する必要がある。このアプリケーションを用いて、郵便料金別納証印４９が読み込まれると、データ、例えば画像および／またはビデオデータは、自動的に表示されるか、または再生される。ここに示したケースでは、情報を格納するために通常設けられる領域４１は、２つの領域、すなわち上部領域４２＿１および下部領域４２＿２を有する。上部領域４２＿１内において、受信者の移動通信ユニット上に必要なアプリケーションを受信者がダウンロードしなければならないこと、および受信者がどのようにそれを実行しなければならないかが受信者に表示される。移動通信ユニット内に搭載されるオペレーティングシステムに応じて、取り込み目的のためのアプリケーション４４＿１または４４＿２が、移動通信ユニットの概略図４５と並んで印刷される。下部領域４２＿２には、アプリケーションのダウンロードの後、格納されたデータ、例えば画像および／またはビデオデータを視聴するために、受信者は次に何をすべきかについて示される。ここで模式的に示される受信者の移動通信ユニットを用いることにより、受信者は、葉書上の郵便料金別納証印４９を読み込む必要がある。それにより、受信者は、以前にダウンロードしたアプリケーションを介して、郵便料金別納証印４９と関連付けられたデータ、例えば画像および／またはビデオデータを視聴することができる。
【００４２】
図５は、送信者がコードとデータ、例えば画像および／またはビデオデータを関連付け、続いて、特定の受信者に対して、個々にそれを格納したい場合に、送信者はどのようにしなければならないかについて模式的に記述する。
【００４３】
まず第１に、図５ａに示すように、送信者は例えば印刷物上に設けられたコードを読み込む必要がある。これは、送信者と関連付けられた移動通信ユニット内に一体化されるか、または移動通信ユニットに少なくとも通信で接続されるカメラによって、通常実行される。送信者の移動通信ユニット内で実行される特定のアプリケーションの一実施態様を用いてコードを検出すると、ユーザまたは送信者は、希望するデータ、例えばビデオまたは他の画像データを選ばなければならない。その結果、該データを、読み込まれたコードに連結させるか、またはこのコードと関連付けることができる。
更に、データ、例えば画像および／またはビデオデータを個々に格納するためには、図５ｃに示すように、パスワードを選んで入力することができる。その結果、コードを読み込んだ後にパスワードを入力したときにだけ、データ、例えば画像および／またはビデオデータが表示されるようになる。それによって、データ、例えば画像および／またはビデオデータへのアクセスが、個々に区別される。加えて、通常、公衆がアクセス可能なコード、例えば、ほとんどすべての製品上に、またはあらゆる任意の葉書上に設けられるコードを使用することも可能である。
【００４４】
図６は、本発明に係る方法の別の実施態様を模式的に示したものである。図６ａは、送信者が、自己によって選んだ１人以上の受信者に、個々のデータ、例えば個々のテキスト、画像および／またはビデオデータを送信するために、どのようにしなければならないか、またはそれらを受信者にどのようにしてアクセス可能にするかを段階的に示す。この事例においては、送信者は市販されて入手可能な葉書６１および／または公衆ディスプレイを通じて入手可能な葉書６１を有する。葉書６１は、１つのセクション６２内に、ダウンロードされるべきシステムアプリケーション（システムアプリ）、すなわちダウンロードのために必要とされる通信ユニット内に設けられるオペレーティングシステムに従う６２＿１または６２＿２を示している。
更に、コード６３がセクション６２内に表示される。コード６３を用いて個々のデータを格納するために、送信者は、記載されたアプリ６２＿１または６２＿２を用いて、送信者に関連付けられた移動通信ユニットを使用して、システムアプリを最初にダウンロードし、そして次にコード６３を読み込む。ステップＳ１で、送信者は次いで自己が所望する個々のデータをコード６３に連結する。その後に、システムアプリがパスワードを生成するか、またはその代わりとして、送信者自身がパスワードを入力して、通常文字で葉書６１上にそれを書き留める。次にステップＳ２で、セクション６４に示すように、葉書６１が所望の受信者に配送されるか、または直接手渡される。
【００４５】
図６Ｂには、送信者から送られたこの葉書６１の受信者が、コード６３の背後に格納されたデータを視聴するために、どのようにしなければならないかが示されている。受信者は、パスワード６５が付与された葉書６１を受け取る。受信者は、また、受信者と関連付けられた移動通信ユニットを用いて、システムアプリ６２＿１または６２＿２をダウンロードする。次いで、ステップＥ１で、このシステムアプリケーションが起動される。システムアプリケーションを起動した後に、ステップＥ２において、受信者は、受信者の移動通信ユニットの位置決め機能、通常ＧＰＳ機能を用いて、自動的に位置決めされる。受信者が位置決めされた後、ステップＥ３において、システムアプリケーションは、最も近い局所的アプリケーションを受信者に提供し、それを用いて受信者は、コード６３とリンクされる個々のデータを最終的に視聴することが可能となる。その代わりとして、ステップＥ４で、受信者は、システムアプリによって表示されるリストから、所望のアプリを選択することができる。リストから提案された、または選んだアプリをダウンロードした後に、模式的に示されるように、受信者は移動通信ユニット上でそれを起動させる。移動通信ユニット内に一体化されるか、または通信ユニットと少なくとも通信するカメラを用いて、受信者は、葉書６１上のコード６３を読み込み、次いでアプリケーションによりパスワードが要求され、受信者は葉書６１に書き留められたパスワード６５を入力し、そこで送信者が格納した個々のデータ、例えばビデオデータが移動通信ユニットのディスプレイ上に自動的に表示され、かつ、おそらくまた、移動通信ユニットのスピーカユニットにより、音響的に認知される。
【００４６】
図６に示される本発明に係る方法の実施態様では、受信者がコード６３を用いて、格納された個々のデータの視聴を最終的にできるようにするために、２個のアプリケーションを用いる必要がある。
コード６３と個々のデータをリンクし、かつ可能であればパスワードを生成するために、システムアプリケーションとここで称される第１のアプリケーションが提供される。更に、受信者と関連付けられる移動通信ユニットが位置決めをされたあと、コードを読み込んだ後に、受信者のそばにダウンロードされることができるシステムアプリによって提供されるアプリを用いて、送信者によって格納される個々のデータを受信者が認識することができることを受信者に対して示すのに、受信者側のシステムアプリケーションが役立つ。
【００４７】
その代わりとして、一般のスマートフォンアプリまたは受信者と関連付けられる通信ユニットに接続されたスキャナを用いて、受信者は、例えばＵＲＬがコード化される、葉書上に設けられるＱＲコード（登録商標）をスキャンし、そして次にこのＵＲＬとリンクされるウェブサイトまたはホームページに到達することが可能である。ここで受信者は、次に、受信者に接続される通信ユニットのオペレーティングシステムをサポートする、例えばＧｏｏｇｌｅ、アップルなどによって提供されるアプリストアに自動的に導かれるか、またはリンクされる。対応するオペレーティングシステムを自動的に認識することが可能でない場合、ホームページ上に提供されるリストから受信者によって選択が実行される。ウェブサイトまたはホームページに到達したとき、ホームページは受信者が提供する地理データを解釈することによって、受信者の位置を認識する。この機能を用いて、受信者にはダウンロードのために、最も近い局所的に利用可能なアプリが提供されるか、または受信者は、自分に適している局所的アプリをリストから選んでダウンロードすることができる。
【符号の説明】
【００４８】
１  ユーザ
２  移動通信ユニット
３  印刷物  葉書
４  コード
５  ディスプレイ
１１  ユーザ
１２  移動通信ユニット
１３  葉書
１４  郵便料金別納証印
１５  ディスプレイ
２３  葉書
３１  フィールド
３２  線
３３  中央領域
３４＿１、３４＿２  アプリ
３５  移動通信ユニットの図的表現
３６  領域
３７  コード
３８  線
３９  郵便料金別納証印
４１  領域
４２＿１  上部領域
４２＿２  下部領域
４３  葉書
４４＿１、４４＿２  アプリケーション
４５  移動通信ユニットの概略図
４９  郵便料金別納証印
６１  葉書
６２  セクション
６２＿１、６２＿２  アプリ
６３  コード
６４  セクション
６５  パスワード
【図１】
2016502191.tif 000003
【図２】
2016502191.tif 000004
【図３】
2016502191.tif 000005
【図４】
2016502191.tif 000006
【図５】
2016502191.tif 000007
【図６】
2016502191.tif 000008
【国際調査報告】
2016502191.tif 000009
2016502191.tif 000010
2016502191.tif 000011
2016502191.tif 000012
2016502191.tif 000013
2016502191.tif 000014